【事件の表示】
　平成　７年特許願第１１０８２１号「自動撮影処理装置におけるペーパー搬送装置」拒絶査定不服審判事件〔平成　８年１１月２２日出願公開、特開平　８−３０４９１８〕について、次のとおり審決する。
【結　論】
　本件審判の請求は、成り立たない。
【理　由】
１．手続の経緯
　本願は、平成７年５月９日の出願であって、平成１５年７月１８日付で拒絶査定がなされ、これに対し、同年８月２８日に拒絶査定に対する審判請求がなされるとともに、同年９月２９日付で手続補正がなされたものである。
　
２．本願発明
「【請求項１】　ロールペーパーの巻き戻されたペーパーシートを挟持して搬送する１対のペーパー送りローラを２組配設すると共に、各組の所定のペーパー送りローラにそれぞれ一方向クラッチを設け、各組の上記所定のペーパー送りローラを連動逆回転するようにして駆動装置に連結し、この駆動装置の正転または逆転によって一方の組の所定のペーパー送りローラが一方向クラッチを介して駆動回転する時に、他方の組の所定のペーパー送りローラが一方向クラッチを介して空転するようにし、且つ駆動回転側の１対のペーパー送りローラによって駆動回転側のロールペーパーの巻き戻されたペーパーシートが搬送されるようにし、前記駆動回転側のロールペーパーが無くなると、自動的に前記駆動装置が逆転または正転して、前記空転している他方の組の所定のペーパー送りローラが一方向クラッチを介して駆動回転し、このペーパー送りローラによって他のロールペーパーの巻き戻されたペーパーシートが搬送されるようにした構成を特徴とする自動撮影処理装置におけるペーパー搬送装置。」（以下、「本願発明」という。）
（平成１５年９月２９日付で手続補正された前記補正は、特許法第１７条の２第３項第３号の誤記の訂正と認める。）
　
３．引用例
　原査定の拒絶の理由に引用された実願昭６０−１９３９５１号（実開昭６２−１０３０３３号）のマイクロフィルム（以下、「引用例１」という。）には、次の事項が記載されている。
「被写体を感光材料上に撮影する撮影部と、この撮影部で撮影された感光材料を処理する処理部を有する写真撮影装置において、感光材料を収納する複数の収納手段と、この複数の収納手段から感光材料を選択する選択手段と、この選択された感光材料を前記撮影部に供給する供給手段とを備えたことを特徴とする写真撮影装置。」（第１頁第５〜１１行）
　
「印画紙３３は収納手段である下側のマガジン３４に巻かれており、上側のマガジン３５にも印画紙３３が同様に巻かれており、これらの印画紙３３は供給手段３６によって撮影部２５に供給されるようになっている。
　供給手段３６は下側のマガジン３４から印画紙３３を送り出す下取出ローラ３７と、上側のマガジン３５から印画紙３３を送り出す上取出ローラ３８と、撮影部２５に搬送する駆動ローラ３９とからなっている。
　前記下取出ローラ３７と、上取出ローラ３８は制御部２７からの駆動信号により作動する選択手段４０で選択されて駆動する。即ち、マガジン３４，３５をセットするとき制御部２７に印画紙３３の長さを記憶させ、印画紙３３の使用によってその長さを減算し、所定の終了値に到達すると、他方の取出ローラ３７，３８を駆動させて取り出すようになっている。」（第５頁第１０行〜第６頁第７行）
　
「撮影部２５にはマガジン３４，３５がセットされている。このマガジン３４，３５がセットされるとき、印画紙３３の長さは制御部２７にそれぞれ記憶される。
　被撮影者２０は撮影室３に入り、椅子２２に腰を掛けてコインをコイン投入口９から投入する。このコインの投入から制御部２７によって、例えば、３秒後にシャッタ３１が作動して撮影され、これと連動して駆動ローラ３９が回転して、下側のマガジン３４に収納されている印画紙３３を撮影部２５へ送り出す。
　そして、例えば、４コマ撮影された印画紙３３は現像処理部４４で処理され、さらに乾燥部４５で乾燥されてシュータ４６を介して写真取出口４７に送り出される。
　この下側の印画紙３の消費長さは制御部２７で演算されており、印画紙３３がなくなると上側に配置されている上取出ローラ３８を駆動してマガジン３５の印画紙３３を駆動ローラ３９に送る。これにより、予備にセットされているマガジン３５から印画紙３３が選択され、装置を停止することなく運転できる。従って、巡回員は定期的な巡回の際に、空になった下側のマガジン３４の印画紙３３を補充すればよい。
　さらに、印画紙３３の消費長さは、制御部２７で演算され、マガジンの印画紙３３がなくなるまで使用され、無駄がなく経済的である。」（第７頁第９行〜第８頁第１５行）
　
　前記記載事項と図面の記載からみて、引用例１には、「印画紙が巻かれているマガジンを２個有し、マガジンに巻かれている印画紙の巻き戻されたペーパーシートを挟持して搬送する１対の駆動ローラ（３９）を配設すると共に、一方のマガジンに巻かれている印画紙の巻き戻されたペーパーシートが搬送されるようにし、前記一方のマガジンに巻かれている印画紙が無くなると、自動的に他のマガジンに巻かれている印画紙の巻き戻されたペーパーシートが搬送されるようにした自動撮影処理装置におけるペーパー搬送装置。」が記載されている（以下、「引用例１発明」という。）。
　
　同実願平２−５２０２３号（実開平４−１２４４８号）のマイクロフィルム（以下、「引用例２」という。）には、次の事項が記載されている。
「第１図はこの考案に係るシート材送出装置を示すものであり、このシート材送出装置は、モータ１と、ギア列２と、上搬送路Ａ（第２図参照）に設けた第１ワンウェイクラッチ３と、下搬送路Ｂ（第２図参照）に設けた第２ワンウェイクラッチ４とを備えている。
　モータ１は、図示外の制御手段によって正逆両方向に一定時間間隔で回転・駆動するようになっており、１個のもので上下両搬送路に設けてある各送り駆動ローラ５，６を交互に回転・駆動させるようになっている。なお、これらの各送り駆動ローラ５，６には、夫々各駆動ローラ５，６によって従動し、これら駆動ローラ５，６との間でシート材１０を挾持しながら各搬送路Ａ，Ｂからそのシート材１０を排出させるための従動ローラ１１が、各送り駆動ローラ５，６に対し夫々上部及び下部に配設されている。
　ギア列２は、モータ１の回転駆動力を同時に第１、第２ワンウェイクラッチ３，４双方に伝達させるためのものであり、この実施例ではモータ１の駆動軸１ａに固着された駆動ギア７と、この駆動ギア７と歯合する伝達ギア８，９とから構成されており、これら伝達ギア８，９は共に同方向に同一周速度で回転するようになっている。
　第１ワンウェイクラッチ３は、モータ１の正逆何れか一方向の回転時にのみ回転力を伝達し、送り駆動ローラ５をその間だけ回転させるものであり、この実施例ではモータ１が正回転するときのみ送り駆動ローラ５と接続されるようになっている。
　第２ワンウェイクラッチ４は、モータ１の正逆回転のうち第１ワンウェイクラッチ３が送り駆動ローラ５と接続されていない正逆回転時のみ送り駆動ローラ６と接続されてその送り駆動ローラ６に回転力を伝達させるため、第１ワンウェイクラッチ３とは逆のタイプのものが使用されている。」（第５頁第２行〜第６頁第１７行）
　
　前記記載事項と図面の記載からみて、引用例２には、「シート材を挟持して搬送する１対の送り駆動ローラと従動ローラを２組配設すると共に、各組の送り駆動ローラにそれぞれワンウェイクラッチを設け、各組の上記送り駆動ローラを連動回転するようにしてモータに連結し、このモータの正転または逆転によって一方の組の送り駆動ローラがワンウェイクラッチを介して駆動回転する時に、他方の組の送り駆動ローラがワンウェイクラッチを介して空転するようにし、且つ駆動回転側の１対の送り駆動ローラと従動ローラによって駆動回転側のシート材が搬送されるようにし、前記モータが逆転または正転して、前記空転している他方の組の送り駆動ローラがワンウェイクラッチを介して駆動回転し、この送り駆動ローラによって他のシート材が搬送されるようにしたシート材送出装置。」が記載されている（以下、「引用例２発明」という。）。
　
４．対比
　引用例１発明における「マガジンに巻かれている印画紙」、及び「駆動ローラ（３９）」は、本願発明の「ロールペーパー」、及び「ペーパー送りローラ」にそれぞれ相当するものであるので、本願発明と引用例１発明とを対比すると、「ロールペーパーの巻き戻されたペーパーシートを挟持して搬送する１対のペーパー送りローラを配設すると共に、一方のロールペーパーの巻き戻されたペーパーシートが搬送されるようにし、前記一方のロールペーパーが無くなると、自動的に他のロールペーパーの巻き戻されたペーパーシートが搬送されるようにした自動撮影処理装置におけるペーパー搬送装置。」で両者の構成は一致し、次の点で両者の構成は相違する。
　
相違点：
　本願発明は、ペーパーシートを挟持して搬送する１対のペーパー送りローラを２組配設すると共に、各組の所定のペーパー送りローラにそれぞれ一方向クラッチを設け、各組の上記所定のペーパー送りローラを連動逆回転するようにして駆動装置に連結し、この駆動装置の正転または逆転によって一方の組の所定のペーパー送りローラが一方向クラッチを介して駆動回転する時に、他方の組の所定のペーパー送りローラが一方向クラッチを介して空転するようにし、且つ駆動回転側の１対のペーパー送りローラによって駆動回転側のペーパーシートが搬送されるようにし、前記駆動装置が逆転または正転して、前記空転している他方の組の所定のペーパー送りローラが一方向クラッチを介して駆動回転し、このペーパー送りローラによって他のペーパーシートが搬送されるようにしたペーパー搬送装置であるのに対して、引用例１発明は、２個のロールペーパーの巻き戻されたペーパーシートを挟持して搬送する１対のペーパー送りローラは１組配設されているだけで、クラッチ駆動回転機構についても記載されていない点。
　
５．判断
相違点について：
　引用例２発明における「シート材」、「１対の送り駆動ローラと従動ローラ」、「送り駆動ローラ」、「ワンウェイクラッチ」、「モータ」、及び「シート材送出装置」は、本願発明の「ペーパーシート」、「１対のペーパー送りローラ」、「所定のペーパー送りローラ」、「一方向クラッチ」、「駆動装置」、及び「ペーパー搬送装置」にそれぞれ相当するものであるので、引用例２発明には「ペーパーシートを挟持して搬送する１対のペーパー送りローラを２組配設すると共に、各組の所定のペーパー送りローラにそれぞれ一方向クラッチを設け、各組の上記所定のペーパー送りローラを連動回転するようにして駆動装置に連結し、この駆動装置の正転または逆転によって一方の組の所定のペーパー送りローラが一方向クラッチを介して駆動回転する時に、他方の組の所定のペーパー送りローラが一方向クラッチを介して空転するようにし、且つ駆動回転側の１対のペーパー送りローラによって駆動回転側のペーパーシートが搬送されるようにし、前記駆動装置が逆転または正転して、前記空転している他方の組の所定のペーパー送りローラが一方向クラッチを介して駆動回転し、このペーパー送りローラによって他のペーパーシートが搬送されるようにしたペーパー搬送装置。」が記載されている。
　したがって、引用例１発明記載の自動撮影処理装置におけるペーパー搬送装置において、ペーパー搬送装置として、引用例２発明記載のペーパー搬送装置を採用して、相違点における本願発明のような構成にしたことに格別の困難性は認められない。
　
　なお、本願発明は、各組の所定のペーパー送りローラを連動逆回転するようにして駆動装置に連結しているのに対して、引用例２発明は、各組の所定のペーパー送りローラを連動正回転するようにして駆動装置に連結している点で構成が相違するが、これは本願発明は、２つの所定のペーパー送りローラが、ペーパーシートの下側（同じ側）に位置するのに対して、引用例２発明は、１つの所定のペーパー送りローラが、ペーパーシートの上側に位置し、他の１つの所定のペーパー送りローラが、ペーパーシートの下側に位置することに伴う、単なる設計変更にすぎない。
　
　そして、前記相違点における本願発明の構成による効果は、引用例１及び２の記載から予測される範囲のものである。
　
　なお、審判請求人は、平成１５年９月２９日付手続補正書（審判請求の理由）において、『自動撮影処理装置におけるペーパー搬送装置では、ロールペーパー（印画紙等）の終端を検出して、ロールペーパー（印画紙等）を切り替える』ことによる、本願請求項１に係る発明の効果を主張しているが、本願請求項１に係る発明には単に「駆動回転側のロールペーパーが無くなると、自動的に」ロールペーパーを切り替えると記載されており、ロールペーパーが無くなることをどのように検出するかについて記載されていないので、上記主張は本願請求項１に係る発明の構成に基づくものではないので採用することができない。
　
６．むすび
　したがって、本願発明は、本願出願前に国内で頒布された引用例１及び２に記載された発明に基づいて、当業者が容易に発明をすることができたものであるから、特許法第２９条第２項の規定により特許を受けることができない。
　よって、結論のとおり審決する。